(57)【要約】【課題】ユーザー自身が調整しなくても、各種類の電子製品の充電電池に対して充電できる共通型充電端子を提供すること。【解決手段】導電材質からなるシートを有し、当該シートの頂部に少なくとも一つの突出端が設けられ、複数のシートを密集させて充電器内に組立て、当該シートの突出端を平面式電極に接触すること、或いはシートを槽式電極に挿入すること、或いはシートの全体を格別式電極に接触させて、共通型の充電端子を形成することを特徴とする、共通型充電端子である。【選択図】図５
0003119579.tif 000002
【実用新案登録請求の範囲】
【請求項１】
導電材質からなるシートを有し、
当該シートの頂部に少なくとも一つの突出端が設けられ、
複数のシートを密集させて充電器内に組立て、
当該シートの突出端を平面式電極に接触すること、或いはシートを槽式電極に挿入すること、或いはシートの全体を格別式電極に接触させて、共通型の充電端子を形成することを特徴とする、
共通型充電端子。
【請求項２】
当該シートは、頂部において、両側から中央へ少しずつ縮小するように、シートの頂部の中央に、接触のための突出端が形成されることを特徴とする請求項１に記載の共通型充電端子。
【請求項３】
当該シートは、頂部において、両側が水平で、中央に突出部が設けられることにより、シートの頂部の中央に、接触のための突出端が形成されることを特徴とする請求項１に記載の共通型充電端子。
【請求項４】
当該シートは、頂部において、中央が高くなる円弧状で、シートの頂部の中央に、接触のための突出端が形成されることを特徴とする請求項１に記載の共通型充電端子。
【請求項５】
当該シートは、頂部において、両側から中央へ少しずつ縮小し、収束端に、突出端と第２の突出端が設けられ、シートの頂端に、二つの突出端をゆする格別形式が形成されることを特徴とする請求項１に記載の共通型充電端子。
【考案の詳細な説明】
【技術分野】
【０００１】
本考案は、共通型充電端子に関し、各種類の携帯性電子製品に適用でき、例えば、携帯電話やノートブック或いは携帯情報機器或いは類似する構造に適用される電池に電量を補充するための充電器に用いる共通型充電端子に関する。
【背景技術】
【０００２】
新規な電子情報器材の発展に伴って、例えば、ノートブックや携帯電話或いはデジタルカメラ等の情報製品が大量に登場するが、メーカの運営操作と設計の需要が異なるため、各ブランドに使用される電池の形式が異なったり、電池の電力入出力端子の位置が異なりったりする。そのため、電池を充電する場合、当該形式の電池の専用充電座でなけられば、充電できない。
【０００３】
上記の各種類の電子製品において、電池の電極形式も異なり、大別して３種類ある。その１は、電池の電極が平面接触式で、例えば、携帯電話やデジタルカメラ或いは携帯情報機器(ＰＤＡ)の電池であり、その２は、電池の電極が槽式接触式で、例えば、ノートブック或いはやや大型のＶ８カメラの電池であり、その３は、電池の電極が格別形状或いは内凹接触式である。
【０００４】
各電子製品を購入する時、充電器が付属されるが、使用してある時期が経つと、充電器が壊れて、同一形式の充電器を買い直さなければ充電できない。即ち、単一の充電器で、上記の各種類の電子製品の電池に共用されることができない。
【０００５】
本考案者は、上記の問題点を解消するために、慎重に研究して何度も試作し、各種類の電子製品の充電電池に使用できる共通型充電端子を提案する。
【考案の開示】
【考案が解決しようとする課題】
【０００６】
本考案の主な目的は、ユーザー自身が調整しなくても、各種類の電子製品の充電電池に対して充電できる共通型充電端子を提供する。
【課題を解決するための手段】
【０００７】
本考案は、上記の目的を達成するために、主として、導電材質からなるシートがあり、当該シートの頂部に、少なくとも一つの突出端が設けられ、複数のシートを密集のように充電器内に組立てられることにより、突出端を平面式電極に接触すること、或いはシートを槽式電極に挿入すること、或い全体を格別式電極に接触することにより、共通型の充電端子が形成される共通型充電端子である。
【０００８】
すなわち、本考案の第１考案は、導電材質からなるシートを有し、当該シートの頂部に少なくとも一つの突出端が設けられ、複数のシートを密集させて充電器内に組立て、当該シートの突出端を平面式電極に接触すること、或いはシートを槽式電極に挿入すること、或いはシートの全体を格別式電極に接触させて、共通型の充電端子を形成することを特徴とする、共通型充電端子である。
また、本考案の第２考案は、当該シートは、頂部において、両側から中央へ少しずつ縮小するように、シートの頂部の中央に、接触のための突出端が形成されることを特徴とする本考案の第１考案に記載の共通型充電端子である。
また、本考案の第３考案は、当該シートは、頂部において、両側が水平で、中央に突出部が設けられることにより、シートの頂部の中央に、接触のための突出端が形成されることを特徴とする本考案の第１考案に記載の共通型充電端子である。
また、本考案の第４考案は、当該シートは、頂部において、中央が高くなる円弧状で、シートの頂部の中央に、接触のための突出端が形成されることを特徴とする本考案の第１考案に記載の共通型充電端子である。
また、本考案の第５考案は、当該シートは、頂部において、両側から中央へ少しずつ縮小し、収束端に、突出端と第２の突出端が設けられ、シートの頂端に、二つの突出端をゆする格別形式が形成されることを特徴とする本考案の第１考案に記載の共通型充電端子である。
【考案の効果】
【０００９】
本考案は、予期の目的を達成でき、シートの外形が各種類の形式電極の電池に接触でき、異なる電極を持つ電池に対して、電量を補充できる実用の共通型充電端子を提供することができる。
【考案を実施するための最良の形態】
【００１０】
図面を参照しながら、具体的な実施例を挙げて、本考案の他の特徴を詳しく説明する。
【実施例】
【００１１】
本考案を図１を参照しながら説明する。本考案は主として、金や銀或いは銅等の導電材質からなるシート１０を有する。当該シート１０は、頂部に、少なくとも一つの突出端１０１が設けられる。本実施例において、シート１０は、頂部において、両側から中央へ少しずつ縮小するように、中央に突出端１０１が形成される。
或いは、図２の本考案の第２の応用例のように、当該シート１０は、頂部において、両側が平面で、中央に突出部が設けられることにより、当該突出部の頂面により突出端１０１が形成される。
或いは、当該シート１０は、頂部において、両端が低く、中央が高い円弧状で、図３のように、中央の突出部分により突出端１０１が形成される。
【００１２】
図４のように、当該シート１０は、各ブランドの電池電極の形状に合わせて形成される。当該シート１０は頂部において、両側から中央へ少しずつ縮小し、収束端に、突出端１０１と第２の突出端１０２が設けられる。当該シート１０の頂端に、二つの突出端を有する格別形式が形成される。
【００１３】
充電器に組み立てられる時、複数のシート１０を、複数の貫通穴が設けられるスリーブ２１の中に嵌入する。
また、図５のように、シート１０の後方に、バネ２２を設置し、そして、一緒にベース２０に結合することにより、シート１０が、バネ２２による付勢により、スリーブ２１から突出し、伸縮可能な端子構造１が形成される。
【００１４】
図６を参照する。当該シート１０は、底部と長方形バネ板３０の一端とが、鋭角が形成されるように連結され、シート１０の突出端１０１が設けられる頂部を、ベース２０に予めに設けられた貫通穴に貫通し、また、長方形バネ板３０のもう一端をベース２０に結合することにより、伸縮可能な端子構造１が形成される。
【００１５】
また、当該ベース２０は、貫通穴２０１がやや大きいように設けられ、また、当該バネ板３０の一端に、湾曲部３０１が設けられ、当該シート１０が、バネ板３０の湾曲部３０１に連接される。また、シート１０の突出端１０１が設けられる頂部を、ベース２０のやや大きい貫通穴２０１に貫通し、そして、バネ板３０のもう一端をベース２０に結合することにより、図７のように、当該シート１０は、上下へ伸縮可能な弾性を持つだけでなく、前後左右へ移動することもできる。
そのため、当該端子構造１は、両方向(上下と前後左右)へ移動できる特性を持ち、これにより、本考案に係わる端子構造１は、シート１０上の突出端１０１を平面電極に接触すること、或いはシート１０を直接に挿入して槽式電極に挟まれること、或いはシート１０にある特別に形成された突出端１０１と第２の突出端１０２を格別な電極に接触することにより、電池に対して電量を補充することができる。
【００１６】
上記のように、本考案は、予期の目的を達成でき、シートの外形が、各種類の形式電極の電池に接触でき、異なる電極を持つ電池に対して、電量を補充できる実用の共通型充電端子である。
【００１７】
以上は、ただ、本考案のより良い実施例であり、本考案に係わる実用新案登録請求の範囲は、それによって制限されず、また、本技術を良く分かる熟練者による等価の変更や修正は、全てが、実用新案登録請求の範囲に含まれる。
【図面の簡単な説明】
【００１８】
【図１】本考案に係わる端子の第１の応用例の平面概念図。
【図２】本考案に係わる端子の第２の応用例の平面概念図。
【図３】本考案に係わる端子の第３の応用例の平面概念図。
【図４】本考案に係わる端子の第４の応用例の平面概念図。
【図５】本考案に係わる第１の実施例の使用断面図。
【図６】本考案に係わる第２の実施例の使用断面図。
【図７】本考案に係わる第３の実施例の使用断面図。
【符号の説明】
【００１９】
１：端子構造
１０：シート
１０１：突出端
１０２：第２の突出端
２０：ベース
２１：スリーブ
２２：バネ
３０：バネ板
３０１：湾曲部
【図１】
0003119579.tif 000003
【図２】
0003119579.tif 000004
【図３】
0003119579.tif 000005
【図４】
0003119579.tif 000006
【図５】
0003119579.tif 000007
【図６】
0003119579.tif 000008
【図７】
0003119579.tif 000009